(57)【要約】【課題】  １つ以上の通信機器の設定を自動的に行う通信機器設定方法を提供する。【解決手段】  画像情報の送受信を行う１つ以上の通信機器が有する設定値を、ネットワークを介して設定する通信機器設定方法であって、設定の対象となる前記通信機器を、ＳＮＭＰを用いて検索する検索段階と、検索された前記通信機器に対し、ＳＯＡＰを用いて設定を行う設定段階とを有する。【選択図】  図４
2005094633.tif 000002
【特許請求の範囲】
【請求項１】
画像情報の送受信を行う１つ以上の通信機器が有する設定値を、ネットワークを介して設定する通信機器設定方法であって、
設定の対象となる前記通信機器を、ＳＮＭＰを用いて検索する検索段階と、
検索された前記通信機器に対し、ＳＯＡＰを用いて設定を行う設定段階と
を有することを特徴とする通信機器設定方法。
【請求項２】
前記検索段階で、検索するＩＰアドレスの範囲を設定する検索範囲設定段階を有することを特徴とする請求項１に記載の通信機器制御方法。
【請求項３】
検索された前記通信機器から、該通信機器に関する通信機器関連情報をＳＮＭＰを用いて取得する通信機器関連情報取得段階を有することを特徴とする請求項１または２に記載の通信機器制御方法。
【請求項４】
取得した前記通信機器情報を明示する通信機器情報明示段階を有することを特徴とする請求項３に記載の通信機器制御方法。
【請求項５】
前記通信機器関連情報は、前記通信機器のシリアル番号情報、モデル情報、製造会社情報のうち、少なくとも１つ以上の情報を含むことを特徴とする請求項３または４に記載の通信機器設定方法。
【請求項６】
前記設定段階で設定の対象となる通信機器を、該通信機器が製造時に設定される設定値である初期値を有する通信機器のみに制限できることを特徴とする請求項１から５に記載の通信機器設定方法。
【請求項７】
前記初期値を前記通信機器から取得する初期値取得段階を有することを特徴とする請求項６に記載の通信機器設定方法。
【請求項８】
前記設定段階で設定の対象となる各通信機器ごとに異なる設定値は、予め定められた固定値として設定されるか、設定が行われないことを特徴とする請求項１から７のいずれか１項に記載の通信機器設定方法。
【請求項９】
前記設定段階で設定する設定値は、ＸＭＬ形式の情報から取得されることを特徴とする請求項１から８のいずれか１項に記載の通信機器設定方法。
【発明の詳細な説明】
【技術分野】
【０００１】
本発明は、ネットワークに接続された通信機器の通信機器設定方法に関する。
【背景技術】
【０００２】
従来、ＰＳＴＮ（Public Switched Telephone Network）だけに接続されてきたファクシミリ（以下、ファックスと記す）は、近年、ＬＡＮ（Local Area Network）などのネットワークに接続することが可能となっている。
【０００３】
ＬＡＮに接続することで、ファックスは、例えばインターネットを利用し、ファックスの原稿を電子メールとしてパソコンに送信できたり、パソコンのアプリケーションで作成した文書を、ＰＳＴＮを用いた通常のファックスとして送信することが可能となる。
【０００４】
このような背景のもと、特許文献１には、ワールドワイドウェブサーバプログラムを搭載することにより、外部装置のワールドワイドウェブブラウザによって操作することができるファクシミリ装置が開示されている。
【０００５】
また、特許文献２には、ファクシミリ送受信機能等を有する画像処理装置がＷｅｂページとして生成し、このＷｅｂページをＬＡＮを介して接続されたコンピュータのＷｅｂブラウザを用いて閲覧及び操作させる画像処理装置が開示されている。
【特許文献１】特開２０００−９２２６２号公報
【特許文献２】特開２００２―７０９５号公報
【発明の開示】
【発明が解決しようとする課題】
【０００６】
しかしながら、上述した特許文献は、ファックスの設定は、１台ごとにＷｅｂブラウザで行っており、自動的に複数の機器を設定することはない。
【０００７】
本発明は、このような問題点に鑑み、１つ以上の通信機器の設定を自動的に行う通信機器設定方法を提供することを目的とする。
【課題を解決するための手段】
【０００８】
上記課題を解決するために、本発明は、画像情報の送受信を行う１つ以上の通信機器が有する設定値を、ネットワークを介して設定する通信機器設定方法であって、設定の対象となる前記通信機器を、ＳＮＭＰを用いて検索する検索段階と、検索された前記通信機器に対し、ＳＯＡＰを用いて設定を行う設定段階とを有することを特徴とする。
【０００９】
また、上記課題を解決するために、本発明は、前記検索段階で、検索するＩＰアドレスの範囲を設定する検索範囲設定段階を有することを特徴とする。
【００１０】
また、上記課題を解決するために、本発明は、検索された前記通信機器から、該通信機器に関する通信機器関連情報をＳＮＭＰを用いて取得する通信機器関連情報取得段階を有することを特徴とする。
【００１１】
また、上記課題を解決するために、本発明は、取得した前記通信機器情報を明示する通信機器情報明示段階を有することを特徴とする。
【００１２】
また、上記課題を解決するために、本発明は、前記通信機器関連情報は、前記通信機器のシリアル番号情報、モデル情報、製造会社情報のうち、少なくとも１つ以上の情報を含むことを特徴とする。
【００１３】
また、上記課題を解決するために、本発明は、前記設定段階で設定の対象となる通信機器を、該通信機器が製造時に設定される設定値である初期値を有する通信機器のみに制限できることを特徴とする。
【００１４】
また、上記課題を解決するために、本発明は、前記初期値を前記通信機器から取得する初期値取得段階を有することを特徴とする。
【００１５】
また、上記課題を解決するために、本発明は、前記設定段階で設定の対象となる各通信機器ごとに異なる設定値は、予め定められた固定値として設定されるか、設定が行われないことを特徴とする。
【００１６】
また、上記課題を解決するために、本発明は、前記設定段階で設定する設定値は、ＸＭＬ形式の情報から取得されることを特徴とする。
【発明の効果】
【００１７】
以上説明したように、本発明によれば、１つ以上の通信機器の設定を自動的に行う通信機器設定方法が得られる。
【発明を実施するための最良の形態】
【００１８】
以下、本発明の実施の形態を、図面に基づいて説明する。なお、以下の説明においては、画像情報の送受信を行う通信機器を、ネットワークファクシミリとして説明する。
【実施例】
【００１９】
図１は、本発明の実施例に係るネットワークシステムを示している。図１に示されるネットワークシステムは、ワークステーション１２などからなる複数台のワークステーション群１１と、ルータ１４と、メールサーバ１５と、ネットワークファクシミリ１６（以下、ファックスと記す）と、それらを接続するＬＡＮ１７で構成される。
【００２０】
ワークステーション群１１に属するワークステーションには、ＬＡＮを介して種々のデータのやりとりを行うアプリケーションソフトウェア（電子メールアクセスなど）やファックス１６より受信した電子メールに含まれる画像情報を処理するビューワなどのアプリケーションソフトウェアなどの種々のプログラムが導入されている。
【００２１】
ルータ１４は、ＬＡＮ１７とインターネットを接続するものである。メールサーバ１５は、ＬＡＮ１４に接続されているワークステーション群１１を利用するユーザ及びファックス１６に対して電子メールの収集、配信サービスを提供するものである。
【００２２】
また、ファックス１６は、ＬＡＮにおける電子メールの送受信機能を有するとともにＰＳＴＮに接続し、この公衆網を伝送路として用いてグループ３ファクシミリ伝送手順による画像情報伝送を行う伝送機能を有する。
【００２３】
ＬＡＮ１７に接続されている端末相互間でのデータのやりとりは、トランスポートレイヤまでの伝送プロトコルであるＴＣＰ／ＩＰと、それ以上の上位レイヤの通信プロトコルの組み合わせが適用して行われる。例えば、電子メールの送信では、上位レイヤの通信プロトコルとして、ＳＭＴＰ（Simple Mail Transport Protocol）という通信プロトコルが適用される。
【００２４】
図１に示されるネットワークシステムは、以上説明した構成となっている。なお、以下の説明において、上記ワークステーションとファックスを端末と表現することがある。また、ＬＡＮ１７に接続されている一般的な通信機器を機器と表現することがある。
【００２５】
次に、図１に示されるネットワークシステムにおける各端末やメールサーバ１５の動作について説明する。図１に示されるネットワークシステムにおいて、電子メールはメールサーバ１５にいったん蓄積された後に配信される。例えば、ファックス１６からワークステーション１２への電子メールは、メールサーバ１５にいったん蓄積される。
【００２６】
一方、ワークステーション群１１及びファックス１６は、適当な周期でメールサーバ１５に対し、自端末宛の電子メール受信の問い合わせを行い、自端末宛の電子メールがメールサーバ１５に蓄積されているときは、メールサーバ１５によりその電子メールを受信して、自端末ユーザにその旨を通知する。
【００２７】
具体的に、例えばワークステーション１２は、メールサーバ１５に対して、自端末宛の電子メール受信の問い合わせを行った場合に、自端末宛の電子メールがメールサーバ１５に蓄積されていることが通知されるので、その電子メールを受信して、その旨をユーザに通知する。通知を受け取ったユーザは、その電子メールの内容を読み出して内容を確認する。
【００２８】
このような電子メールを取得する通信プロトコルとしては、ＰＯＰ（Post Office Protocol）などを適用することができる。
【００２９】
また、本実施例では、ワークステーション群１１からファックス１６に対し、ＰＳＴＮに接続された他の通信装置へ画像情報の中継送信依頼を行うことができ、その中継依頼画像情報の送信には、電子メールが用いられる。
【００３０】
なお、この場合のＬＡＮ１７は、インターネットに接続されているので、インターネットに接続されている他のワークステーション群１１のユーザも、このファックス１６に対して画像情報の中継送信依頼を行うことができる。
【００３１】
このようにして用いられる電子メールは、ＭＩＮＥ（Multipurpose Internet Mail Extension）形式のものである。画像情報は、Base64符号化形式で符号化した後の情報がセットされる。
【００３２】
次に、図２を用いてファックス１６について説明する。図２に示されるように、ファックス１６は、システム制御部２１と、システムメモリ２２と、パラメータメモリ２３と、時計回路２４と、スキャナ２５と、プロッタ２６と、操作表示部２７と、符号化復号化部２８と、画像蓄積装置２９と、Ｇ３ＦＡＸモデム３０と、網制御装置３１と、ＬＡＮ  Ｉ／Ｆ３２と、ＬＡＮ伝送制御部３３とを有する。
【００３３】
システム制御部２１は、ファックス１６の各部の制御処理、およびファクシミリ伝送制御手順などの各種制御処理を行うものである。システムメモリ２２は、システム制御部２１が実行する制御処理プログラムおよび処理プログラムを実行するときに必要な各種データなどを記憶するとともにシステム制御部２１のワークエリアを構成するものである。パラメータメモリ２３は、このネットワーク通信装置に固有な各種の情報を記憶するためのものである。時計回路２４は、現在時刻情報を出力するものである。
【００３４】
スキャナ２５は、所定の解像度で原稿画像を読みとるためのものである。プロッタ２６は、所定の解像度で画像を記録出力するものである。操作表示部２７は、ファックス１６を操作するためのもので、各種の操作キー、および各種の表示器からなる。符号化復号化部２８は、画像情報を符号化圧縮するとともに、符号化圧縮された状態の画像情報を多数記憶するためのものである。
【００３５】
画像蓄積装置２９は、符号化圧縮された状態の画像情報を多数記録するためのものである。Ｇ３ＦＡＸ３０は、Ｇ３ＦＡＸのモデム機能を実現するものである。網制御装置３１は、ファックス１６をＰＳＴＮに接続するためのものであり、自動発着信機能を備えている。
【００３６】
ＬＡＮ  Ｉ／Ｆ３２は、ファックス１６をＬＡＮに接続するためのものであり、ＬＡＮ伝送制御部３３は、ＬＡＮを介して他の装置との間で種々のデータをやりとりするための各種所定のプロトコルの通信制御処理（電子メール送受信処理など）を実行するためのものである。
【００３７】
以上説明したシステム制御部２１、システムメモリ２２、パラメータメモリ２３、時計回路２４、スキャナ２５、プロッタ２６、操作表示部２７、符号化復号化部２８、画像蓄積装置２９、Ｇ３ＦＡＸモデム３０、網制御装置３１、ＬＡＮ伝送制御部３３は、内部バス３４に接続されていてこれらの各部の間でのデータやりとりは、主として内部バス３４を介して行われている。また、網制御装置３１とＧ３ＦＡＸモデム３０との間のデータのやり取りは直接行われている。
【００３８】
次に、ワークステーション１２のハードウェア構成図について、図３を用いて説明する。図３に示されるように、ハードウェア構成は、それぞれバスＢで相互に接続されている入力装置４２と、表示装置４３と、ドライブ装置４４と、記録媒体４５と、補助記憶装置４６と、メモリ装置４７と、演算処理装置４０と、インタフェース装置４１とを含む。
【００３９】
入力装置４２は、キーボード及びマウスなどで構成され、ワークステーションに各種操作信号を入力するために用いられる。表示装置４３は、ワークステーションを操作するのに必要な各種ウィンドウやデータ等を表示する。インタフェース装置４１は、ワークステーションをネットワークに接続する為のインタフェースや他の機器を接続するためのインタフェースであり、例えばＮＩＣ（Network Interface Card）やモデム、ＵＳＢ（Universal Serial Bus）等で構成される。
【００４０】
そして、上記ワークステーションを動作させるためのプログラムは、ＣＤ−ＲＯＭ等の記録媒体４５によって提供されるか、ネットワークを通じてダウンロードされる。また、記録媒体４５は、ドライブ装置４４にセットされ、データやプログラムが記録媒体４５からドライブ装置４４を介して補助記憶装置４６にインストールされる。
【００４１】
補助記憶装置４６は、データやプログラムを格納されると共に、必要なファイル等を格納する。メモリ装置４７は、ワークステーションの起動時に補助記憶装置４６からプログラムを読み出して格納する。演算処理装置４０は、メモリ装置４７に読み出され格納されたプログラムに従って処理を実行する。
【００４２】
次に、上述したネットワークシステムで実行される処理についての説明に先立ち、まずＳＮＭＰ、ＸＭＬ、ＳＯＡＰについて簡単に説明する。
【００４３】
ＳＮＭＰとは、ネットワークに接続された機器類をネットワーク経由で監視するためのプロトコルであり、監視する側をＳＮＭＰマネージャといい、監視される側をＳＮＭＰエージェントという。そして、ＳＮＭＰエージェントは、自機の種々の状態をｍｉｂ（Management Information Base）に保持し、ＳＮＭＰマネージャからのリクエストに応じて、対応する情報をｍｉｂから取得し、レスポンスを送信する。このｍｉｂには、例えば自機のＩＰアドレスやＭＡＣアドレス、製造したベンダなどの基本的な情報から、受信したＩＰパケット数や、ベンダが独自に定義するプライベートＭＩＢなどの情報が含まれる。
【００４４】
以上説明したＳＮＭＰは、本実施例において、機器名やＭＡＣアドレスの取得に用いられる。
【００４５】
ＸＭＬ（eXtensible Markup Language）とは、Ｗ３Ｃの勧告で、ＳＧＭＬ (ISO/IEC 8879:1986)を簡略化し、インターネット対応したものでありHTMLと違い、任意のタグが使用可能である。またデータと処理（レイアウト（デザイン））を分離して記述できる点に特徴がある。
【００４６】
ＳＯＡＰ(Simple Object Access Protocol)とは、ＸＭＬを使用してＲＰＣ（リモートプロシージャーコール）やメッセージング機能を実現するためのＷ３Ｃ仕様である。プラットホームに依存しないため、ＨＴＴＰやＦＴＰ上で動作を行う。Ｗｅｂサービスに使用されるプロトコルである。
【００４７】
次に、図４を用いて、ＳＮＭＰエージェントに対応するファックス１６と、ＳＮＭＰマネージャに対応するワークステーション１２とのやり取りを説明する。
【００４８】
ステップＳ１０１で、ワークステーション１２は、ＳＮＭＰリクエストをファックス１６に送信する。ファックス１６は、ステップＳ１０２で、ＳＮＭＰリクエストで要求された情報をｍｉｂから取得し、ワークステーション１２にＳＮＭＰレスポンスを送信する。
【００４９】
このステップＳ１０１、ステップＳ１０２のようにＳＮＭＰリクエストと、ＳＮＭＰレスポンスのやり取りにより、ワークステーション１２は、ファックス１６の機器名やＭＡＣアドレスを取得する。また、ステップＳ１０１、ステップＳ１０２は、検索段階並びに通信機器関連情報取得段階に対応する。なお、通信機器関連情報とは、ファックス１６がｍｉｂに保持している情報の一部または全体である。
【００５０】
次に、ワークステーション１２は、ステップＳ１０３で、ＳＯＡＰリクエストを送信し、ファックス１６は、ステップＳ１０４で、ＳＯＡＰレスポンスを送信する。このステップＳ１０３とステップＳ１０４で、ワークステーション１２は、ファックス１６のバージョン情報などを取得する。また、ステップＳ１０３とステップＳ１０４で、予めファックス１６の初期値を取得しても良い。この場合、ステップＳ１０３とステップＳ１０４は、初期値取得段階に対応する。なお、初期値とは、ファックス１６が製造時に設定される設定値を意味する。
【００５１】
次に、ファックス１６のような機器を検索する場合のワークステーション１２の処理を、図５のフローチャートを用いて説明する。
【００５２】
ステップＳ２０１では、検索するＩＰアドレスのセットが行われる。ステップＳ２０２は、ステップＳ２０３でＳＮＭＰリクエストを送信する前に、その送信する対象の機器が、後述する設定画面によりユーザに設定されたＩＰアドレスの範囲内かどうか判断する処理である。
【００５３】
もし、ＩＰアドレスの範囲外であれば、処理は終了する。ＩＰアドレスの範囲内であれば、ワークステーション１２は、ステップＳ２０３で、そのＩＰアドレスの機器にＳＮＭＰリクエストを送信する。
【００５４】
ステップＳ２０４で、ワークステーション１２は、ステップＳ２０３で送信したＳＮＭＰリクエストに対するＳＮＭＰレスポンスがあったかどうか判断する。ＳＮＭＰレスポンスがなかった場合、次のＩＰアドレスをセットするために、ステップＳ２０１の処理を再び行う。ＳＮＭＰレスポンスがあった場合、ワークステーション１２は、応答のあった機器からホスト名、シリアルナンバー、モデル名、Ｍａｃアドレスなどを取得する。また、ワークステーション１２は、ステップＳ２０５で、得られたモデル名から対象としている機種と一致する機器に対してＳＯＡＰリクエストを機器に送信する。
【００５５】
ステップＳ２０６で、ワークステーション１２は、ステップＳ２０５で送信したＳＯＡＰリクエストに対するＳＯＡＰレスポンスがあったかどうか判断する。ＳＯＡＰレスポンスがなかった場合、次のＩＰアドレスをセットするために、ステップＳ２０１の処理を再び行う。ＳＯＡＰレスポンスがあった場合、ワークステーション１２は、通信機器情報明示段階に対応するステップＳ２０７で、検索された機器を一覧表示し、処理を終了する。
【００５６】
次に、上述したフローチャートで説明したユーザが設定を行う設定画面を、図６を用いて説明する。図６の設定画面には、ネットワーク入力欄５１と、ネットマスク入力欄５２と、Addボタン５３と、Editボタン５４と、Removeボタン５５と、表示欄５６とが表示される。
【００５７】
ネットワーク入力欄５１は、ネットワークアドレスを入力する欄である。ネットマスク入力欄５２は、ネットマスクを入力する欄である。表示欄５６は、設定されたネットワークアドレスとネットマスクが表示される欄である。Addボタン５３は、ネットワーク入力欄５１と、ネットマスク入力欄５２に入力したものを設定するボタンである。Editボタン５４は、表示欄５６に表示されている内容を編集するものである。Removeボタン５５は、表示欄５６に表示されている内容を削除するものである。
【００５８】
以上説明した設定画面を用いて、検索する機器のＩＰアドレスの範囲が設定される。これにより、検索する時間を減らすことが可能となるとともに、不必要なネットワークトラフィックを抑えることが可能となる。また、上記のように検索することで、１つ以上のファックスを検索することが可能となる。
【００５９】
次に、検索された機器を一覧表示する一覧表示画面を、図７を用いて説明する。図７に示される一覧表示画面には、表示選択部６０と、Address表示欄６１と、Manufacturer表示欄６２と、Model表示欄６３と、Serial Number表示欄６４と、Firmware Version表示欄６５と、System Version表示欄６６と、NIB Version表示欄６７とが表示される。
【００６０】
表示選択部６０は、ネットワークのエリアを表示するとともに、表示されている「Selected Devices」、「Unselected Devices」、「172.17.22.255」のうち、どの表示項目を表示するかユーザが選択するものである。Address表示欄６１は、機器のＩＰアドレスが表示される。Manufacturer表示欄６２には、機器を製造した製造会社が表示される。Model表示欄６３には、機器のモデル名が表示される。Serial Number表示欄６４には、機器のシリアル番号が表示される。Firmware Vision表示欄６５には、機器のファームウェアのバージョンが表示される。System Version表示欄６６には、システムのバージョンが表示される。NIB Version表示欄６７には、ネットワークインタフェースボードのバージョンが表示される。また、ＳＯＡＰでパラメータの書き込みを行った後には、成功/失敗などのステータスが機器ごとに表示される。
【００６１】
この一覧表示画面において、一覧表示された機器を１つ以上選択すると、機器の設定画面が表示される。この設定画面の例を、図８に示す。この設定画面には、設定項目７０と、ラジオボタン７１と、初期値ボタン７４と、ＯＫボタン７２と、キャンセルボタン７３とが表示される。
【００６２】
設定項目７０には、「Just Size Print」などからなるファックス１６の設定項目が表示される。ラジオボタン７１は、上記設定項目をＯＮ、ＯＦＦで設定するためのボタンである。初期値ボタン７４は、予め定められた初期値を設定するためのボタンである。ＯＫボタン７２は、ラジオボタンでの設定を確定する場合にユーザが押下するものであり、キャンセルボタン７３は、設定しない場合にユーザが押下するものである。
【００６３】
上述した初期値ボタン７４により、一度、初期値とは異なる値に設定してしまったファックスに対して、初期値を設定できるようにすることができる。
【００６４】
このように設定された設定項目を、ファックス１６に設定する際の、ワークステーション１２の処理を、図９のフローチャートを用いて説明する。
【００６５】
ステップＳ３０１で、ワークステーション１２は、設定対象となる機器のデータを読み込む。このデータについては後述する。ステップＳ３０２で、設定対象機器かどうか判断し、設定対象機器ではない場合、ワークステーション１２は、再びステップＳ３０１の処理を行う。設定対象機器の場合、ワークステーション１２は、ステップＳ３０３で、設定内容が、初期値であるかどうか判断する。設定内容が初期値の場合、ワークステーション１２は、ステップＳ３０４で、設定値に初期値をセットし、ステップＳ３０４へ処理を進める。
【００６６】
設定内容が初期値ではない場合、ワークステーション１２は、ステップＳ３０５で、個別に設定項目があるかどうか判断する。個別に設定項目がある場合、ワークステーション１２は、ステップＳ３０７で、ユーザにより設定された設定値を読み込む。
【００６７】
このステップＳ３０７またはステップＳ３０６で読み込まれた値を、ワークステーション１２は、設定段階に対応するステップＳ３０８でＳＯＡＰを用いてファックス１６にセットし、処理を終了する。
【００６８】
次に、上述したステップＳ３０１で読み込まれるデータを、図１０を用いて説明する。図１０は、ＸＭＬ形式で記述された設定情報の一例である。図１０に示されるＸＭＬ文には、印字用名称を示すＸＭＬ文８０と、表示用名称を示すＸＭＬ文８１と、ファックス番号を示すＸＭＬ文８２と、ダイヤルイン機能を示すＸＭＬ文８３と、封筒機能を示すＸＭＬ文８４が示されている。
【００６９】
ＸＭＬ文８０には、印字用名称として、「ＲＩＣＯＨ」が設定されている。ＸＭＬ文８１には、表示用名称として、「ａａａａａ」が設定されている。ＸＭＬ文８２には、ファックス番号として、「123456789」が設定されている。ＸＭＬ文８３には、ダイヤルイン機能を使用する「Ｏｎ」が設定されている。ＸＭＬ文８４には、封筒機能を使用する「Ｏｎ」が設定されている。
【００７０】
これにより、従来は設定するべき値をその都度、入力しないといけなかったが、本実施例では、ＸＭＬファイルに保存することができるので、データの再利用や電子データとしてデータ交換を行うシステムを構築できるようになるなど利便性を向上することができる。また、このようなＸＭＬファイルを対象機器ごとに有するため、１つ以上のファックスの設定を自動的に行うことが可能となる。
【００７１】
次に、図１１のフローチャートを用いて、初期値を持たない機器の取り扱いと、機器ごとに異なる設定内容の取り扱いを設定する処理を説明する。なお、機器ごとに異なる設定値とは、例えば、印字用名称、表示用名称、ファクス番号などがある。
【００７２】
ステップＳ４０１で、ワークステーション１２は、ユーザに対し、初期値を持たない機器の取り扱いについてユーザに入力させ、書き込み許可が入力された場合、ステップＳ４０２で、書き込みフラグに１を代入する。書き込み不許可が入力された場合、ワークステーション１２は、ステップＳ４０３で、書き込みフラグに０を代入する。これにより、設定の対象となる機器を、初期値を有する通信機器のみに制限できる。
【００７３】
次に、ワークステーション１２は、ステップＳ４０４で、機器ごとに異なる設定内容の取り扱いについてユーザに入力させる。ユーザから、機器ごとに異なる内容を書き込み対象外とする入力がされると、ステップＳ４０５で、ワークステーション１２は、機器フラグに０を代入する。ユーザから、固定値を書き込むことを入力されると、ワークステーション１２は、ステップＳ４０６で、機器フラグに１を代入する。ユーザから何も書かないことを入力されると、ワークステーション１２は、ステップＳ４０７で、機器フラグに２を代入する。このように、機器ごとに異なる設定内容は、ステップＳ４０６で設定されるように、予め定められた固定値として設定されるか、ステップＳ４０５、４０７で設定されるように、結果的に設定が行われない。
【００７４】
このようにして設定された書き込みフラグと機器フラグに設定された情報を参照することで、初期値を持たない機器と、機器ごとに異なる設定内容に関する処理が可能となる。
【００７５】
これにより、従来のファックスの設定ソフトは、設定を許容するかしないかの区別がつかなかったが、本実施例により初期値の機器のみを対象とすることで、既に運用している機器に対する上書きを防止することができる。
【００７６】
また、機器ごとに異なる設定内容は、従来、同じものが設定されてしまっていたが、本実施例では、固定値を書き込む場合と空欄のまま何も書き込まないでいることが選択できるので、ユーザの利用目的にあった機能を提供することができる。
【図面の簡単な説明】
【００７７】
【図１】本発明の実施例に係るネットワークシステムを示す図である。
【図２】ファックスの構成図である。
【図３】ワークステーションのハードウェア構成図である。
【図４】ファックスとワークステーションとのやり取りを示すシーケンス図である。
【図５】ワークステーションを示すフローチャートである。
【図６】設定画面を示す図である。
【図７】一覧表示画面を示す図である。
【図８】ＭＬＢで変換可能な画像データの形式を示す図である。
【図９】設定画面を示す図である。
【図１０】ＸＭＬ形式で記述された設定情報を示す図である。
【図１１】初期値を持たない機器と機器ごとに異なる設定内容の取り扱いを設定する処理を示すフローチャートである。
【符号の説明】
【００７８】
１１  ワークステーション群
１２  ワークステーション
１４  ルータ
１５  メールサーバ
１６  ネットワークファクシミリ
１７  ＬＡＮ
２１  システム制御部
２２  システムメモリ
２３  パラメータメモリ
２４  時計回路
２５  スキャナ
２６  プロッタ
２７  操作表示部
２８  符号化復号化部
２９  画像蓄積装置
３０  Ｇ３ＦＡＸモデム
３１  網制御装置
３２  ＬＡＮ  Ｉ／Ｆ
３３  ＬＡＮ伝送制御部
４０  演算処理装置
４１  インタフェース装置
４２  入力装置
４３  表示装置
４４  ドライブ装置
４５  記録媒体
４６  祖助記憶装置
４７  メモリ装置
５１  ネットワーク入力欄
５２  ネットマスク
５３  Addボタン
５４  Editボタン
５５  Removeボタン
５６  表示欄
６０  表示選択部
６１  Address表示欄
６２  Manufacturer表示欄
６３  Model表示欄
６４  Serial Number表示欄
６５  Firmware Vision表示欄
６６  System Version表示欄
６７  NIB Version表示欄
７０  設定項目
７１  ラジオボタン
７２  ＯＫボタン
７３  キャンセルボタン
７４  初期値ボタン
８０、８１、８２、８３、８４  ＸＭＬ文
【図１】
2005094633.tif 000003
【図２】
2005094633.tif 000004
【図３】
2005094633.tif 000005
【図４】
2005094633.tif 000006
【図５】
2005094633.tif 000007
【図６】
2005094633.tif 000008
【図７】
2005094633.tif 000009
【図８】
2005094633.tif 000010
【図９】
2005094633.tif 000011
【図１０】
2005094633.tif 000012
【図１１】
2005094633.tif 000013